(57)【特許請求の範囲】
【請求項１】
大当たりの権利を発生させる権利発生装置を遊技盤の遊技領域に有する遊技機において、
前記権利発生装置は、
遊技領域で受け入れた球を遊技盤面と平行に流下させかつ下流部において横向きに勢い付ける球通路と、
前記球通路の下流部に連通しかつ球を鉛直下向きに導き得る選別路と、
前記球通路の下流部に対し前記選別路の上を横切る状態に連通する排出路と、
前記球通路を流れる球を検出する球検出器と、
前記選別路の下端に配設され、該選別路を流下した球を球受け部で受けてその球を大当たりの権利を発生させる特定領域と非特定領域とに振り分ける可動振分体と、
前記排出路と前記選別路の分岐部に設けられ、前記排出路への流路を塞ぐ一方、前記選別路への流路を形成して前記可動振分体の前記球受け部に球を導く誘導位置と、前記排出路への流路を開く退避位置とに配置切換される可動誘導体と、を備え、
前記可動振分体の前記球受け部は、１つの球を受け入れると共にその受け入れた球の頂部と前記退避位置にある前記可動誘導体との間に１つの球が通過可能な間隔ができる深さに形成され、
前記可動誘導体は、前記球検出器の球の検出によって前記誘導位置に配置される一方、所定時期に前記退避位置に配置切換され、前記可動誘導体が前記退避位置に配置されたときには前記可動振分体の前記球受け部に球がある場合に後の球がその球を飛び越えて排出路に流れるように構成してある遊技機。
【請求項２】
請求項１に記載の遊技機であって、前記球通路の上流部には、該球通路の入球口を開く第１位置と、該入球口を閉じる第２位置とに配置切換される切換部材が設けられている遊技機。
【請求項３】
請求項２に記載の遊技機であって、前記球通路の入球口の上流側には、その球通路に球を導く誘導路が形成され、前記誘導路は、前記球通路の入球口から分岐状に設けられた排出路に連通し、切換部材が第２位置に配置切換されたときには、前記誘導路の球が前記排出路に流れる構成にしてある遊技機。
【請求項４】
請求項１〜３のいずれか一項に記載の遊技機であって、球検出器の球の検出に基づいて図柄を変動表示する表示部を有する図柄表示装置を備え、前記図柄表示装置の表示部に表示された抽選図柄に対応して前記可動振分体が作動し、前記球受け部の球が特定領域と非特定領域のいずれか一方に振り分けられる構成にしてある遊技機。
【発明の詳細な説明】
【０００１】
【発明の属する技術分野】
この発明は、例えば、パチンコ機（雀球機、アレンジボール機等も含む）のような遊技機に関する。
【０００２】
【従来の技術】
従来、球通路を流れる球を検出する球検出器と、その球検出器を通過した球を受けかつその球を特定領域と非特定領域とに振り分ける可動振分体と、を備えた型式の遊技機（パチンコ機）が知られている。例えば、第３種パチンコ機（権利ものパチンコ機）と呼ばれている遊技機において、図１３の（Ａ）、（Ｂ）及び（Ｃ）に示すように、球通路１３７の下流に設けられた回転体よりなる可動振分体１４５が正逆いずれか一方に回転動作することによって、球Ｂを特定領域１４７と非特定領域１４８とのいずれか一方に振り分ける構造の権利発生装置が知られている。すなわち、可動振分体１４５は、その外周面の球受け部１４６が下向きに開口して待機するとともに、球通路１３７の下流部には、可動振分体１４５の外周面上に保留された球Ｂを検出する球検出器１３８が設けられている。そして、図１３の（Ａ）に示すように、球通路１３７を流れる球Ｂが可動振分体１４５の外周面上に保留される。これと略同時に球検出器１３８によって球Ｂが検出される。すると、球Ｂの検出信号が主制御装置に伝達され、その主制御装置から出力される信号に基づいて図柄表示装置の表示部に表示された抽選図柄が変動し、停止する。ここで、表示部に表示された抽選図柄が、例えば、「大当たり図柄」となって停止すると、可動振分体１４５が、図１３の（Ａ）に向かって時計回り方向に回転する。すると、まず、図１３の（Ｂ）に示すように、可動振分体１４５の外周面上に保留された球Ｂが球受け部１４６に受けられる。引き続く可動振分体１４５の回転動作によって、図１３の（Ｃ）に示すように、球受け部１４６の球Ｂが特定領域１４７に放出され、これによって大当たりの権利が発生するようになっている。
【０００３】
【発明が解決しようとする課題】
ところで、前記構造の権利発生装置においては、球通路１３７に球Ｂが連続して流れると、先行の球Ｂが球検出器１３８によって検出された直後において、後続する球Ｂが検出されることとなる。このため、先行の球Ｂの検出によって大当たり権利が発生した直後において、後続の球Ｂの検出によって前記大当たり権利が消滅（パンク）する不具合が発生する場合があった。このため、図１３の（Ａ）、（Ｂ）及び（Ｃ）の２点鎖線に示すように、球通路１３７の球検出器１３８の配設位置を上流側に変位して配設し、球通路１３７に複数の球Ｂが連なって流れた場合においても、先行する球Ｂの検出のみを有効とし、後続する球Ｂの検出は無効とする制御を行い、パンクを防止することが考えられる。先行する球Ｂの検出のみを有効とし、後続する球Ｂの検出は無効とする制御を行うと、後続の球Ｂは可動振分体１４５の外周面上に溜まり、その後の球Ｂの検出に基づく可動振分体１４５の回転によって特定領域１４７と非特定領域１４８とのいずれかに振り分けられることとなる。この結果として、常時、球通路１３７の下流部分の可動振分体１４５の外周面上に球Ｂが溜まるという不具合が発生する。
【０００４】
この発明の目的は、前記従来の問題点に鑑み、球通路に複数の球が連なって流れた場合においても、先行する球のみを特定領域と非特定領域とのいずれかに振り分け、後続する球は球通路から排出して処理することができる遊技機を提供することである。
【０００５】
【課題を解決するための手段】
前記目的を達成するために、第１の発明に係る遊技機は、請求項１に記載のとおりの構成を要旨とする。したがって、球通路を流れる球は、球検出器によって検出される。すると、球検出器の球検出によって可動誘導体が誘導位置に配置される。このため、前記球は可動誘導体に誘導されて可動振分体の球受け部に受けられる。その後、可動振分体が振り分け動作し、球が特定領域と非特定領域のいずれかに振り分けられる。前記誘導位置に配置された可動誘導体は、所定時期に元の退避位置に配置切換される。このため、球通路に複数の球が連なって流れた場合、先行する球のみが可動振分体の球受け部に受けられ、特定領域と非特定領域のいずれかに振り分けられる。一方、球検出器の球の検出によって誘導位置に配置された可動誘導体は、所定時間経過すると、元の退避位置に配置切換されるため、後続の球は、球通路に溜まることなく排出路に流れて処理される。ここで、元の退避位置に配置切換される可動誘導体の所定時期とは、球通路を流れる球が球検出器によって検出されてから所定時間経過した時期、可動振分体の球受け部に誘導された球が検出される時期、その他、予め定められた所定の事象を契機とする時期を意味する。
【０００６】
また、球通路の下流部には、その球通路の球の流れ方向に延長する方向の排出路と、球の流れ方向と異なる方向でかつ可動振分体が設けられる選別路とが分岐して設けられ、前記分岐部に、可動誘導体が誘導位置と、退避位置とに配置切換可能に設けられている。したがって、球通路下流の分岐部において、可動誘導体が誘導位置に配置されることで、球通路を流れる球は可動誘導体に誘導されて選別路に流れ、その選別路に設けられた可動振分体の球受け部に確実に受けられる。また、可動誘導体が退避位置に配置切換されたときには、球通路を流れる球は、その流れ（自重）によって排出路に確実に流れて処理される。このため、球を排出路に排出するための専用の排出部材を配設する必要がなく、構造が複雑化する不具合も生じない。
【０００７】
第２の発明に係る遊技機は、請求項２に記載のとおりの構成を要旨とするものであり、球通路の上流部には、その入球口を開く第１位置と、閉じる第２位置とに配置切換される切換部材が設けられている。したがって、切換部材が第１位置に配置されて球通路の上流部の入球口が開かれることで、入球口から球通路に球が流入可能となる。また、切換部材が第２位置に配置されて球通路の上流部の入球口が閉じられることで、球通路に対する球の流入が制限される。このように、切換部材を第１位置と、第２位置とに配置切換することによって、球通路に対する球の流入を制御することができる。
【０００８】
第３の発明に係る遊技機は、請求項３に記載のとおりの構成を要旨とするもので、球通路の入球口の上流側には、その球通路に球を導く誘導路が形成され、しかも、前記誘導路は、前記球通路の入球口から分岐状に設けられた排出路に連通し、切換部材が第２位置に配置切換されたときには、前記誘導路の球が前記排出路に流れる構成にしてある。したがって、切換部材が第１位置に配置されて球通路の上流部の入球口が開かれることで、誘導路の球が入球口から球通路に流れる。また、切換部材が第２位置に配置されて球通路の上流部の入球口が閉じられることで、誘導路の球が排出路に流れて処理される。このように、切換部材を第１位置と、第２位置とに配置切換することによって、球通路に対する球の流入を制御することができるとともに、誘導路に球が溜まる不具合が生じない。
【０００９】
第４の発明に係る遊技機は、請求項４に記載のとおりの構成を要旨とするもので、球検出器の球の検出に基づいて図柄を変動表示する表示部を有する図柄表示装置を備え、図柄表示装置の表示部に表示された抽選図柄に対応して可動振分体が作動し、その球受け部の球が特定領域と非特定領域のいずれか一方に振り分けられる構成にしてある。したがって、球通路を流れる球が球検出器によって検出されると、球検出器の球検出によって可動誘導体が誘導位置に配置され、前記球は可動誘導体に誘導されて可動振分体の球受け部に受けられる。一方、球検出器の球の検出に基づいて、図柄表示装置の表示部には図柄が変動表示される。例えば、表示部の図柄が「当たり図柄」となったときには、可動振分体の振り分け動作によって、球を特定領域に振り分けて、遊技者に有利な状態を付与することが可能となる。また、表示部の図柄が「外れ図柄」となったときには、可動振分体の振り分け動作によって、球を非特定領域に振り分けることが可能となる。このようにして、図柄表示装置の表示部に変動表示される図柄に基づいて、可動振分体によって球を特定領域と非特定領域のいずれかに振り分けることによって、遊技の興趣を高めることも可能となる。
【００１０】
【発明の実施の形態】
この発明の実施の形態を図１〜図１２にしたがって説明する。遊技機としてのパチンコ機、例えば、権利ものとも呼ばれている第３種パチンコ機の遊技盤を正面（前面）で表した図７において、遊技盤１０の前面の周縁部には、外レール１２と内レール１３とを備えた案内レール１１が装着されている。この案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５には、その略中央部に位置して電動式普通役物装置２１と権利発生装置３０（センタ役物装置とも呼ばれることもある。）とが上下に隣接してそれぞれ装着されている。さらに、遊技盤１０の遊技領域１５には、電動式普通役物装置２１の直上及び左右両側方に位置して一般入賞器２０が配設されている。
【００１１】
図１に示すように、電動式普通役物装置２１には、可変入球口２２ａを大小に変化させる一対の開閉部材２２が組み付けられている。これら一対の開閉部材２２は、モータ、ソレノイド等の電動アクチュエータを駆動源とし開閉動作されるようになっている。図１と図２に示すように、権利発生装置３０は、所望とする装飾が施された前装飾部材３１と、その前装飾部材３１の後側に設けられかつ前装飾部材３１との間に各種通路を構成する通路壁が形成された通路構成部材３２と、モータ、ソレノイド等の各種の電動アクチュエータ３４ａ、４０ａ及び４５ａ等がそれぞれ組み付けられる後取付部材３２ａとを主体として構成されている。また、前装飾部材３１と通路構成部材３２との間には、表示部５１を前装飾部材３１の略中央部において視認できるように図柄表示装置５０が装着されている。この図柄表示装置５０の表示部５１（この実施の形態では７セグメントの表示部）には、後述する第１選別路３７の球検出器３８の検出信号が主制御装置（主制御基板）に伝達されることによって図柄（抽選図柄と呼ばれる場合もある）が変動表示されるようになっている。権利発生装置３０の上部には、電動式普通役物装置２１の可変入球口に流入した球Ｂを垂下状に誘導する誘導路３３が設けられ、その誘導路３３の下流（下端）に分岐部において分岐する第１選別路３７（この発明の球通路に相当する）と第１排出路３６とがそれぞれ設けられている。これら第１選別路３７と第１排出路３６と分岐部には切換部材３４が軸３５を中心として回動可能に配設されている。
【００１２】
切換部材３４は、ソレノイド等の電動アクチュエータを駆動源とし第１位置と第２位置とに配置切換される。そして、図３に示すように、切換部材３４は、通常時においては、第１位置に配置され、この状態で第１選別路３７を開くとともに第１排出路３６を閉じる。また、切換部材３４は、第１選別路３７の球検出器３８の検出信号に基づいて第２位置に配置され、その後、特定領域４７の球検出器５５あるいは非特定領域４８の球検出器５６の検出信号に基づいて元の第１位置に戻されるようになっている。そして、図４に示すように、切換部材３４が第２位置に配置されたときには、第１選別路３７を閉じるとともに第１排出路３６を開くようになっている。また、この実施の形態において、図１に示すように、第１選別路３７と第１排出路３６とは、同一中心の円弧状をなすとともに、第１選別路３７は、図１に向かって反時計回り方向に略１８０度の円弧をなして延びている。そして、この第１選別路３７の途上には、その第１選別路３７を流れる球Ｂを検出する球検出器３８が配設されている。なお、球通路としての第１選別路３７の下流部は円弧状に限らず、下向き傾斜状に形成してもよい。一方、第１排出路３６は、図１に向かって時計回り方向に僅かな円弧をなし、その第１排出路３６の出口は遊技盤１０の後側に設けられた裏集合樋に連通するようになっている。
【００１３】
図１と図２に示すように、権利発生装置３０の下部には、第１選別路３７を、その下流の分岐部において分岐する第２排出路４２と第２選別路４３とがそれぞれ設けられている。これら第２排出路４２と第２選別路４３との分岐部には、可動誘導体４０が軸４１を中心として回動可能に設けられている。この可動誘導体４０は、ソレノイド等の電動アクチュエータ４０ａを駆動源とし、かつ誘導位置と退避位置とに配置切換される。そして、図５に示すように、可動誘導体４０は、通常時においては、分岐部の片側に退避する退避位置に配置される。また、可動誘導体４０は、第１選別路３７の球検出器３８の検出信号に基づいて、図６に示すように、誘導位置に配置切換された後、２〜３秒経過すると元の退避位置に配置切換されるようになっている。そして、誘導位置に配置された可動誘導体４０によって、第１選別路３７を流れる球Ｂを第２選別路４３に誘導し、退避位置に配置切換されることで、球Ｂが第２排出路４２に流れるようになっている。
【００１４】
すなわち、この実施の形態において、第２排出路４２は、第１選別路３７の下流端に分岐部を介して略連続状に設けられ、その第２排出路４２の出口は遊技盤１０の後側に設けられた裏集合樋（図示しない）に連通するようになっている。一方、第２選別路４３は、第１選別路３７の下流端に分岐部を介して略垂下状に設けられている。そして、図６に示すように、可動誘導体４０が誘導位置に配置されたときには、その可動誘導体４０は、第１選別路３７の通路延長方向に対し略直交する姿勢をなし、これによって、球Ｂを第２選別路４３に導くようになっている。また、図５に示すように、可動誘導体４０が退避位置に配置されたときには、第１選別路３７の下流端に分岐部を介して第２排出路４２が連通するため、第１選別路３７を流れる球Ｂは、第２選別路４３を飛び越えて第２排出路４２に流れるようになっている。
【００１５】
図１と図２に示すように、第２選別路４３の直下には、その第２選別路４３に連通する開口部を有する回転体収納室が設けられている。この回転体収納室には、モータ等の電動アクチュエータを駆動源とし、かつ軸４４を中心として回転する円盤状の回転体よりなる可動振分体４５が正逆回転可能に設けられている。この可動振分体４５の外周面には、第２選別路４３の直下に臨んで１つの球Ｂを受ける球受け部４６が形成されている。また、回転体収納室には、その下部において特定領域４７が連通して開口し、横部において非特定領域４８が連通して開口している。そして、可動振分体４５の球受け部４６に落下した球Ｂは、同可動振分体４５が一方向（図１に向かって反時計回り方向）に回転動作することによって特定領域４７に導かれ、反対方向（図１に向かって時計回り方向）に回転動作することによって非特定領域４８に導かれるようになっている。また、特定領域４７には、その特定領域４７を流れる球Ｂを検出する球検出器５５が設けられ、また、非特定領域４８には、その非特定領域４８を流れる球Ｂを検出する球検出器５６が設けられている。
【００１６】
図に示すように、遊技盤１０の遊技領域１５には、権利発生装置３０の片側下部（図５に向かって左側下部）に位置して普通始動口を有する普通役物作動器２６が装着されている。この普通役物作動器２６には、その入球口に流入した球Ｂを検出する球検出器が設けられている。この球検出器の検出信号に基づいて電動式普通役物装置２１の一対の開閉部材２２を所定時間（例えば、０．５秒）開放した後、元の状態に閉じるようになっている。また、遊技盤１０の遊技領域１５には、その権利発生装置３０の他側（図５に向かって右側）に位置して第３種始動装置７０が装着されている。
【００１７】
図８と図９に示すように、第３種始動装置７０は、その本体部７１において遊技盤１０の前面にビス等によって装着されている。本体部７１は、前構成部材７２と後構成部材７８との２部品を主体として構成されている。前構成部材７２は、遊技盤１０の前面にビス等によって取り付けされる取付部と、その取付部から前方に突出しかつ遊技領域１５を流れる球Ｂが流入可能な開口部７６を有する入球室７３の内周壁を構成する周壁部７４と、その周壁部７４の前面及び周縁部を覆うようにして設けられた装飾性を有する覆い部７５と、を一体に備えている。また、この実施の形態において、入球室７３の開口部７６を横向（図９に向かって右向き）に開口するために、周壁部７４が略Ｃ字状に形成されている。また、入球室７３の下部には後述する回転体９０の外周面と協働して球Ｂを保留する球保留部７７が形成されている。
【００１８】
前構成部材７２の後側には、後構成部材７８が一体化されて設けらている。この後構成部材７８には、入球室７３の奥側に位置しかつ球Ｂが流入可能な入球口８０を有する球通路８１が形成されている。この球通路８１の排出口８４は、遊技盤１０の後側に設けられた裏集合樋に連通するようになっている。また、球通路８１の排出口８４には、その排出口８４を通過する球Ｂを検出する球検出器８５が設けられている。また、球通路８１の所定位置には、次に述べる回転体９０の吸着部９２に吸着された球Ｂを回転体９０から分離し、その球Ｂを球通路８１の排出口８４に向けて放出する球分離部８３が形成されている。この実施の形態において、図９に示すように、球通路８１の周壁部のうち、底壁部を構成する傾斜状の底板部８２の先端部が回転体９０の外周面に接近して臨んでおり、当該底板部８２の先端部を球分離部８３としている。
【００１９】
図９に示すように、後構成部材７８の前部には、入球室７３と球通路８１とに跨った状態で回転体９０が横方向の軸を中心として回転可能に組み付けられている。言い換えると、回転体９０の外周面によって、入球室７３の奥側壁部と球通路８１の入球口８０の下側壁部とが構成されている。また、回転体９０は、入球室７３の球保留部７７の球Ｂを入球口８０を通して球通路８１に沿って移送するためのもので、モータ等の電動アクチュエータを駆動源として一方向（図９に向かって時計回り方向）に所定速度で連続回転されるようになっている。そして、回転体９０の外周面の一部には、球Ｂを磁力によって吸着する吸着部９２が同回転体９０の外周面よりも凹んだ位置に設けられている。
【００２０】
この実施の形態において、図９に示すように、回転体９０の外周面の一箇所に、磁石９１（永久磁石）が埋め込み状に設けられ、その磁石９１の一側面を吸着部９２としている。そして、図１０に示すように、回転体９０の吸着部９２が入球口８０に位置するときには、その入球口８０に対し１球のみ球Ｂの流入を許容し、図９、あるいは図１１に示すように、回転体９０の吸着部９２以外の外周面が入球口８０に位置するときには球Ｂの流入を阻止するように、入球口８０の大きさ並びに回転体９０の外周面に対する吸着部９２の凹み形状がそれぞれ設定されている。例えば、球Ｂの直径寸法をＤ、回転体９０の吸着部９２が入球口８０に位置したときの吸着部９２から入球口８０の上端部間での開口寸法をＷ１、回転体９０の吸着部９２以外の外周面が入球口８０に位置したときにの回転体９０の外周面から入球口８０の上端部間での開口寸法をＷ２とした場合、Ｗ１＞Ｄ＞Ｗ２の関係となるように、球Ｂの直径寸法Ｄ、開口寸法Ｗ１及び開口寸法Ｗ２が適宜に設定されている。ちなみに、この実施の形態において、球Ｂの直径寸法Ｄが１１ｍｍである場合、開口寸法Ｗ１は１２ｍｍ、開口寸法Ｗ２は１０ｍｍに設定されている。
【００２１】
図７に示すように、遊技盤１０の遊技領域１５には、第３種始動装置７０の直下に位置して大入賞口６２とその大入賞口６２を開閉する開閉扉６１を備えた大入賞口装置６０が装着されている。また、遊技盤１０の遊技領域１５には、球Ｂを所定方向に誘導したり、あるいは球Ｂの流れを変化させる多数の釘や風車器２５が適宜に配設されている。また、遊技盤１０の遊技領域１５には、その遊技領域１５の図５に向かって右側上部に打ち出された球Ｂのうち、多くの球Ｂを大入賞口装置６０の大入賞口６２に導くとともに、その球Ｂのうち、一部の球Ｂを第３種始動装置７０の入球室７３の開口部７６に導くように複数の誘導釘１００が適宜に配設され、これら複数の誘導釘１００によって誘導手段が構成されている。また、遊技盤１０の遊技領域１５には、権利発生装置３０の下方でその遊技領域１５の最下端に位置してアウト口６５が形成されている。
【００２２】
図１２に示すように、前記した各種の球検出器３８、５５、５６は、パチンコ機の主制御装置１０１（主制御基板に）に電気的に接続されている。そして、各種の球検出器３８、５５、５６によって球Ｂがそれぞれ検出されると、その検出信号は、主制御装置１０１にそれぞれ伝達される。そして、これらに対応して主制御装置１０１から出力される信号によって各種のモータ、ソレノイド等の電動アクチュエータ３４ａ、４０ａ、４５ａが作動制御されるようになっている。また、この実施の形態において、停電（瞬間的な停電も含む）となって、その停電状態が電源基板１０２において認識されると、電源基板１０２から停電の信号が主制御装置１０１に伝達され、所定時間、例えば、１３０ｍｓｅｃの間は、バックアップ電源により電源供給を維持するようになっている。一方、主制御装置１０１において、ＲＡＭに保存している遊技に関する全ての遊技データがバックアップＲＡＭに一時的に保存され、バックアップ処理がなされる。これによって、各種の球検出器３８、５５、５６による球Ｂの検出信号が主制御装置１０１に伝達可能となっている。また、この実施の形態において、可動振分体４５の直下に接近して特定領域４７の球検出器５５が配設されている。これによって、可動振分体４５の球受け部４６が略１８０度回転した後、その球受け部４６から放出された球Ｂが球検出器５５によって検出されるのに要する時間を１３０ｍｓｅｃ以下に容易に設定することができる。このため、球受け部４６から球Ｂが放出された瞬間に停電が発生したとしても、その球Ｂが球検出器５５によって確実に検出されて主制御装置１０１に伝達され、バックアップＲＡＭに保存される。この結果、停電前と、停電復旧後の球検出の状態が一致し、遊技者に不利益を与える不具合を防止することができる。
【００２３】
この実施の形態に係る遊技機としてのパチンコ機は上述したように構成される。したがって、パチンコ遊技の際、図示しない球発射装置から球発射通路１４に発射された球Ｂ（パチンコ球）は、遊技領域１５の上部に打ち出され、多数の釘や風車器２５等に当たって遊技領域１５の下部に向けて流れる。遊技領域１５に打ち出された球Ｂのうち、一部の球Ｂは一般入賞器２０、普通役物作動器２６、電動式普通役物装置２１等の入球口に流入する。また、これら入球口に流入しなかった球Ｂは遊技領域１５の下部のアウト口６５に流入し、機外に排出される。
【００２４】
普通役物作動器２６の入球口に球Ｂが流入すると、その球Ｂが球検出器（図示しない）によって検出される。すると、球検出器の検出信号が主制御装置（主制御基板）に伝達される。これに基づいて主制御装置から出力される信号が電動式普通役物装置２１に伝達され、これによって、一対の開閉部材２２が所定時間（例えば、０．５秒）開放された後、元の状態に閉じられる。電動式普通役物装置２１の一対の開閉部材２２が開放時には、その可変入球口２２ａに球Ｂが流入し易くなる（図１参照）。電動式普通役物装置２１の可変入球口２２ａに球Ｂが流入すると、その球Ｂは、権利発生装置３０上部の誘導路３３に流れる。この際、切換部材３４は、第１位置に配置されている。このため、誘導路３３の球Ｂは第１選別路３７に流れる。
【００２５】
第１選別路３７を流れる球Ｂは、その第１選別路３７の球検出器３８よって検出され、その検出信号が主制御装置１０１（主制御基板）に伝達される。これに基づいて主制御装置１０１から出力される信号が、切換部材３４、可動誘導体４０の各電動アクチュエータ３４ａ、４０ａ並びに図柄表示装置５０にそれぞれ伝達される。そして、切換部材３４は、図４に示すように、第２位置に配置切換される。また、可動誘導体４０は、図６に示すように、誘導位置に配置切換される。これによって、第１選別路３７の球検出器を通過した球Ｂは可動誘導体４０に導かれて第２選別路４３に流れ、可動振分体４５の球受け部４６に落下して保持される（図６参照）。なお、第１選別路３７の球検出器３８よって球Ｂが検出され、可動誘導体４０が誘導位置に配置切換された後、２〜３秒程度経過すると、図５に示すように、可動誘導体４０は、元の退避位置に戻される。
【００２６】
一方、第１選別路３７の球検出器３８よって球Ｂを検出すると、図柄表示装置５０の表示部５１の抽選図柄が変動し、設定時間後停止する。そして、表示部５１には前記主制御装置から出力される信号に基づく抽選図柄が表示される。表示部５１に表示された抽選図柄が「大当たり図柄」、例えば「１・１」、「３・３」、「５・５」、「７・７」となって停止した場合、可動振分体４５が図１に向かって反時計回り方向に回転した後、元の位置に戻される。すると、可動振分体４５の球受け部４６の球Ｂが特定領域４７に流れ、その特定領域４７の球検出器５５によって球Ｂが検出されることで、大当たりが確定する。また、表示部５１に表示された抽選図柄が、前記「大当たり図柄」以外の「外れ図柄」となって停止した場合、可動振分体４５が図１に向かって時計回り方向に回転した後、元の位置に戻される。すると、可動振分体４５の球受け部４６の球Ｂが非特定領域４８に流れ、その非特定領域４８の球検出器５６によって球Ｂが検出される。また、特定領域４７の球検出器５５あるいは非特定領域４８の球検出器５６によって球Ｂが検出されると、切換部材３４は、元の第１位置に配置切換される。
【００２７】
前記大当たりが確定した後、遊技領域１５を流れる球Ｂが第３種始動装置７０の開口部７６を通して入球室７３に流入すると、図９に示すように、球Ｂは、一旦、球保留部７７に保持される。第３種始動装置７０の回転体９０は、パチンコ機の電源スイッチがＯＮされると同時に、一方向（図９に向かって時計回り方向）に所定速度、例えば、１０秒間に１回転の速さで連続回転する。回転体９０の吸着部９２が球保留部７７に達すると、その球保留部７７の球Ｂが回転体９０の吸着部９２に吸着される。引き続く回転体９０の回転動作によって、その吸着部９２に吸着された球Ｂが入球口８０を通して球通路８１に沿って移送される。回転体９０の吸着部９２に吸着された球Ｂが球分離部８３に達すると、その後の回転体９０の回転動作によって回転体９０の吸着部９２から球Ｂが分離する（図１１参照）。その後、球Ｂは球通路８１の底板部８２の傾斜面を流下し、排出口８４を通して遊技盤１０の後側に設けられた裏集合樋に流れる。
【００２８】
球通路８１の排出口８４を通過する球Ｂが球検出器８５によって検出されると、その検出信号が主制御装置１０１（主制御基板）に伝達される。これに基づいて主制御装置１０１から出力される信号が大入賞口装置６０に伝達され、その開閉扉６１によって大入賞口６２が開かれる。大入賞口６２に球Ｂが最大で１０個流入するか、あるいは、１０秒経過すると、開閉扉６１によって大入賞口６２が閉じられ、ここで大当たり遊技の１ラウンドが終了する。開閉扉６１によって大入賞口６２が一旦閉じられた後、再び、球通路８１の排出口８４を通過する球Ｂが球検出器８５によって検出されると、開閉扉６１によって大入賞口６２が開かれる。このように大当たり遊技が最大で１６ラウンド行われて大当たり遊技が終了する。
【００２９】
パチンコ遊技の際、普通役物作動器２６の入球口に球が流入し、電動式普通役物装置２１の一対の開閉部材２２が所定時間（例えば、０．５秒）開放されると、その可変入球口に球Ｂが流入し易くなる。このようなことから、電動式普通役物装置２１の可変入球口に複数の球Ｂが略同時に流入し、これら複数の球Ｂが連なって権利発生装置３０上部の誘導路３３から第１選別路３７に流れる場合がある。この場合、第１選別路３７の球検出器３８において検出され主制御装置１０１に伝達される球Ｂの検出信号のうち、先行の球Ｂの検出信号のみ有効とされ、後続する球Ｂの検出信号は無効とされる処理がなされる。このため、第１選別路３７の球検出器３８によって先行の球Ｂが検出され、可動誘導体４０が誘導位置に配置切換されることで、前記複数の球Ｂが可動誘導体４０に誘導され、先行する１つの球Ｂのみが、可動振分体４５の球受け部４６に受けられ、その先行の球Ｂの上に後続する球Ｂが連なって流れる。
【００３０】
第１選別路３７の球検出器３８よって先行の球Ｂが検出された後、２〜３秒程度経過すると、可動誘導体４０は、元の退避位置に戻され、これによって後続する球Ｂは球通路としての第１選別路３７に溜まることなく自重によって第２排出路４２に流れて処理される。一方、第１選別路３７の球検出器３８によって先行の球Ｂを検出すると、図柄表示装置５０の表示部５１の抽選図柄が変動し、設定時間後停止する。この際、表示部５１に表示された抽選図柄が「大当たり図柄」、例えば「１・１」、「３・３」、「５・５」、「７・７」となって停止した場合、可動振分体４５が図１に向かって反時計回り方向に回転した後、元の位置に戻される。すると、可動振分体４５の球受け部４６の球Ｂが特定領域４７に流れ、その特定領域４７の球検出器によって球Ｂが検出されることで、大当たりが確定する。前記したように、後続の球Ｂの検出は無効とし、その後続の球Ｂが第２排出路４２に流れて処理されるため、先行の球Ｂの検出によって大当たり権利が発生した直後において、後続の球Ｂの検出によって前記大当たり権利が消滅（パンク）する不具合が発生することを解消できるばかりでなく、後続の球Ｂが球通路に溜まる不具合も解消することができる。
【００３１】
また、この実施の形態において、球通路としての第１選別路３７の入球口の上流側に対し、その第１選別路３７に球Ｂを導く誘導路３３が形成されている。さらに、誘導路３３は、第１選別路３７の入球口から分岐状に設けられた第１排出路３６に連通するとともに、その分岐部には切換部材３４が第１位置と第２位置に配置切換可能に設けられている。そして、切換部材３４は、通常時においては、第１位置に配置され、この状態で第１選別路３７を開くとともに第１排出路３６を閉じる。このため、通常時においては、誘導路３３の球Ｂは、第１選別路３７に確実に流れ、第１排出路３６に不測に流れる不具合が生じない。
【００３２】
また、第１選別路３７の球検出器３８の検出信号に基づいて切換部材３４が第２位置に配置切換され、これによって、第１選別路３７が閉じられるとともに第１排出路３６が開かれ、その後、特定領域４７の球検出器５５あるいは非特定領域４８の球検出器５６の検出信号に基づいて元の第１位置に戻されるようになっている。言い換えると、第１選別路３７の球検出器３８によって球Ｂを検出してから、その球Ｂが特定領域４７の球検出器５５あるいは非特定領域４８の球検出器５６によって検出される間においては、第２位置に配置切換された切換部材３４によって第１選別路３７の入球口を閉じることができる。このため、図柄表示装置５０の表示部５１の抽選図柄の変動時や、大当たり権利が発生する間においては、誘導路３３の球Ｂを第１排出路３６に導いて排出処理し、第１選別路３７に流れる不具合を防止することができる。この結果、大当たり権利が発生した直後において、誘導路３３の球Ｂが第１選別路３７に流入して、その球Ｂの検出によって前記大当たり権利が消滅（パンク）する不具合を防止することができる。しかも、切換部材３４が第２位置に配置切換されることで、第１排出路３６が開かれ、誘導路３３の球Ｂを第１排出路３６に導いて排出処理することができるため、球Ｂが誘導路３３に溜まる不具合も生じない。
【００３３】
なお、この発明は前記実施の形態に限定するものではない。例えば、前記実施の形態においては、権利発生装置３０を備えた第３種パチンコ機である場合を例示したが、第２種入賞装置を備えた第２種パチンコ機に採用することも可能である。また、球通路としての第１選別路３７の入球口の上流側に対し、その第１選別路３７に球Ｂを導く誘導路３３が形成され、その誘導路３３が、第１選別路３７の入球口から分岐状に設けられた第１排出路３６に連通されるとともに、その分岐部には切換部材３４が第１位置と第２位置に配置切換可能に設けられている場合を例示したが、誘導路３３や切換部材３４は必ずしも設けなくても実施可能である。
【００３４】
【発明の効果】
以上述べたように、この発明によれば、球通路に複数の球が連なって流れた場合においても、先行する球のみを特定領域と非特定領域とのいずれかに振り分け、後続する球は球通路から排出して処理することができる。このため、後続する球が球通路に溜まる不具合を解消することができる。
【図面の簡単な説明】
【図１】この発明の実施の形態に係る第３種パチンコ機の権利発生装置を示す正面図である。
【図２】同じく図１のＩＩ−ＩＩ線に基づく権利発生装置の側断面図である。
【図３】同じく権利発生装置の切換部材が第１位置に配置された状態を示す説明図である。
【図４】同じく権利発生装置の切換部材が第２位置に配置切換された状態を示す説明図である。
【図５】同じく権利発生装置の可動誘導体が退避位置に配置された状態を示す説明図である。
【図６】同じく権利発生装置の可動誘導体が誘導位置に配置された状態を示す説明図である。
【図７】同じく権利発生装置、第３種始動装置、大入賞口装置が装着された遊技盤全体を示す正面図である。
【図８】同じく第３種始動装置を示す正面図である。
【図９】同じく図８のＩＸ−ＩＸ線に基づく第３種始動装置の側断面図である。
【図１０】同じく回転体の吸着部に吸着された球が球通路の入球口に達した状態を示す第３種始動装置の側断面図である。
【図１１】同じく回転体の吸着部に吸着された球が球通路の球分離部において分離される状態を示す第３種始動装置の側断面図である。
【図１２】同じく各種の球検出器、制御装置、各種の電動アクチュエータの関係を示すブロック図である。
【図１３】従来の権利発生装置の可動振分体の作動状態を順に示す説明図である。
【符号の説明】
１０ 遊技盤
１５ 遊技領域
３０ 権利発生装置
３１ 前装飾部材
３２ 通路構成部材
３３ 誘導路
３４ 切換部材
３６ 第１排出路（排出路）
３７ 第１選別路（球通路）
３８ 球検出器
４０ 可動誘導体
４２ 第２排出路（排出路）
４３ 第２選別路（選別路）
４５ 可動振分体
４６ 球受け部
４７ 特定領域
４８ 非特定領域
５０ 図柄表示装置
５１ 表示部
６０ 大入賞口装置
７０ 第３種始動装置
【図１】
0004617441.tif 000002
【図２】
0004617441.tif 000003
【図３】
0004617441.tif 000004
【図４】
0004617441.tif 000005
【図５】
0004617441.tif 000006
【図６】
0004617441.tif 000007
【図７】
0004617441.tif 000008
【図８】
0004617441.tif 000009
【図９】
0004617441.tif 000010
【図１０】
0004617441.tif 000011
【図１１】
0004617441.tif 000012
【図１２】
0004617441.tif 000013
【図１３】
0004617441.tif 000014